(57)【要約】【課題】書込み放電を高速で、安定して行い、かつプライミング電極が断線した場合の不具合の発生を抑えることができるプラズマディスプレイパネルを提供する。【解決手段】データ電極３２と、データ電極３２と交差する方向に配置されたプライミング電極３６と、放電空間を区画するようにデータ電極３２と平行に配置された縦壁部３４ａと、プライミング電極３６と交差する方向に配置されたショートバー３７とを備え、隣接するプライミング電極３６がショートバー３７によって互いに電気的に接続されて形成され、ショートバー３７は縦壁部３４ａの下を通るように配置される。【選択図】図２
2005122968.tif 000002
【特許請求の範囲】
【請求項１】
第１の基板上に互いに平行となるように配置された走査電極および維持電極と、
前記第１の基板に放電空間を挟んで対向配置される第２の基板上に前記走査電極および前記維持電極と交差する方向に配置したデータ電極と、
前記データ電極を覆うように形成した誘電体層と、
前記誘電体層上に設け前記走査電極および前記維持電極と平行に配置したプライミング電極と、
前記走査電極および前記維持電極と前記データ電極とで形成される複数の主放電セルおよび前記走査電極と前記プライミング電極とで形成される複数のプライミング放電セルを区画するように形成した隔壁とを有し、
前記第２の基板上に、前記プライミング電極と交差する方向に配置され、かつ
前記複数のプライミング電極を互いに電気的に接続するショートバーを設けたことを特徴とするプラズマディスプレイパネル。
【請求項２】
プライミング電極のうち隣接する少なくともふたつのプライミング電極をショートバーによって互いに電気的に接続したことを特徴とする請求項１記載のプラズマディスプレイパネル。
【請求項３】
ショートバーは隔壁の下を通るように配置され、かつ少なくとも前記隔壁の下に配置された前記ショートバーの幅が前記隔壁の幅以下になるように形成したことを特徴とする請求項１記載のプラズマディスプレイパネル。
【発明の詳細な説明】
【技術分野】
【０００１】
本発明はプラズマディスプレイパネル（以下、パネルとも記す）に関する。
【背景技術】
【０００２】
近年、急速に市場規模を拡大してきたプラズマディスプレイ装置は、大画面、薄型、軽量を特徴とする視認性に優れた表示デバイスである。また、ハイビジョン放送に代表される高精細映像に対応するため、プラズマディスプレイパネルの高精細化が進められている。プラズマディスプレイパネルの電極構造にはいくつかの種類があるが、現在は大画面化、高精細化に適したＡＣ型３電極プラズマディスプレイパネルが主流となっている。
【０００３】
ＡＣ型３電極プラズマディスプレイパネルは、一般に対向配置された前面板と背面板との間に多数の放電セルを形成している。前面板は、走査電極と維持電極とからなる表示電極が前面ガラス基板上に互いに平行に対をなして複数形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とを対向配置して密封し、内部の放電空間に放電ガスを封入している。また、ハイビジョンに対応した高精細なプラズマディスプレイパネルは通常７００本を超す走査電極を有する。
【０００４】
ＡＣ型プラズマディスプレイパネルを駆動する方法としては、１フィールド期間を複数のサブフィールドに分割し、発光させるサブフィールドの組合せによって階調表示を行う、いわゆるサブフィールド法が一般的である。各サブフィールドは初期化期間、書込み期間および維持期間を有する。
【０００５】
初期化期間では、プラズマディスプレイパネルを構成する全ての放電セルに初期化放電を起こし、続く書込み放電に必要な励起粒子（以下、プライミング粒子と記す）を発生させるための初期化パルスを印加する。続く書込み期間では、プラズマディスプレイパネルに備えられた走査電極およびデータ電極にそれぞれ走査パルスおよび書込みパルスを印加し、選択的な書込み放電を起こす。続く維持期間では走査電極と維持電極との間に所定の回数の維持パルスを印加して維持放電を起こし、放電セルを発光させる。
【０００６】
放電セルにおいて放電を起こす場合、放電電圧を印加してから放電を開始するまでに時間差（以下、放電遅れと略記する）がある。そのため、放電セルを安定して放電させるには、走査パルスおよび書込みパルスのパルス幅を少なくとも放電遅れより長くしなければならない。
【０００７】
一方、書込み期間では走査パルスを走査電極に順次印加していくので、走査電極の数によって走査パルスの印加回数が決まる。すなわち、プラズマディスプレイパネルの高精細化によって走査電極の数が増えると、増加した走査電極の数に依存して書込み期間が長くなる。書込み期間が長くなれば、初期化期間または維持期間を短縮してサブフィールドの期間が変わらないようにするか、初期化期間および維持期間は変えずにサブフィールドの期間を長くするかのいずれかによる時間調整が必要になる。
【０００８】
しかし、初期化期間を短縮するために初期化パルスを短くすると、放電セルの初期化が不確実となり、続く書込み放電で誤放電を起こしやすくなる。また維持期間を短縮するために維持パルスの印加回数を減らすと、維持放電の回数が減り輝度が低下する。また、サブフィールドの期間を長くするために１フィールドあたりのサブフィールドの数を減らすと階調性が低下する。
【０００９】
これらの課題を解決するために、前面板に補助放電電極（以下、プライミング電極と記す）を設け前面板側の面内補助放電によって生じた補助放電（以下、プライミング放電と記す）によって放電遅れを小さくするパネルとその駆動方法が提案されている（特許文献１参照）。
【特許文献１】特開２００２−２９７０９１号公報
【発明の開示】
【発明が解決しようとする課題】
【００１０】
しかしながら、上述のパネルにおいては、個々の補助放電セルが比較的大きいため、画像表示のための放電セル間の距離を縮めることができず、その結果、高精細化が困難であるという課題があった。
【００１１】
本発明はこのような課題に鑑みてなされたものであり、プラズマディスプレイパネルの高精細化と、書込み動作の高速、安定化を実現することができ、さらに、プライミング電極が断線したときにプライミング電極の断線による不具合の発生を抑えることができるプラズマディスプレイパネルを提供することを目的とする。
【課題を解決するための手段】
【００１２】
本発明のプラズマディスプレイパネルは、第１の基板上に互いに平行となるように配置された走査電極および維持電極と、第１の基板に放電空間を挟んで対向配置される第２の基板上に走査電極および維持電極と交差する方向に配置したデータ電極と、データ電極を覆うように形成した誘電体層と、誘電体層上に設け走査電極および維持電極と平行に配置したプライミング電極と、走査電極および維持電極とデータ電極とで形成される複数の主放電セルおよび走査電極とプライミング電極とで形成される複数のプライミング放電セルを区画するように形成した隔壁とを有し、第２の基板上に、プライミング電極と交差する方向に配置され、かつプライミング電極を互いに電気的に接続するショートバーを設けたことを特徴とする。
【００１３】
この構成によれば、第２の基板上にプライミング電極を配置することで、プラズマディスプレイパネルの高精細化と、書込み動作の高速、安定化を実現することができる。さらに、ショートバーによってプライミング電極が互いに電気的に接続されているので、プライミング電極に断線が生じた場合に、電気的に接続された他のプライミング電極からショートバーを介して断線したプライミング電極に駆動電圧を印加することができる。
【００１４】
また、プライミング電極のうち隣接する少なくともふたつのプライミング電極をショートバーによって互いに電気的に接続して形成する構成であってもよい。
【００１５】
このような構成によっても、プライミング電極に断線が生じた場合に電気的に接続された他のプライミング電極からショートバーを介して断線したプライミング電極に駆動電圧を印加することができる。
【００１６】
また、ショートバーは隔壁の下を通るように配置され、かつ少なくとも隔壁の下に配置されたショートバーの幅が隔壁の幅以下になるように形成した構成であってもよい。
【００１７】
このような構成によれば、ショートバーを設けたことによって発生する恐れのある不要な放電を抑えることができる。
【発明の効果】
【００１８】
本発明のプラズマディスプレイパネルによれば、高精細化した場合でも書込み放電を高速で、安定して行い、かつプライミング電極が断線したときにプライミング電極の断線による不具合の発生を抑えることができるプラズマディスプレイパネルを提供することができる。
【発明を実施するための最良の形態】
【００１９】
以下、本発明の実施の形態におけるプラズマディスプレイパネルについて、図面を用いて説明する。
【００２０】
（実施の形態）
図１は本発明の実施の形態におけるプラズマディスプレイパネルを示す断面図であり、図２は同パネルの背面基板側の構造を模式的に示す斜視図である。
【００２１】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００２２】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。
【００２３】
走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００２４】
背面基板３１上には、走査電極２２および維持電極２３と交差する方向に、データ電極３２が互いに平行に複数形成されている。データ電極３２を覆うように誘電体層３３ａが形成され、誘電体層３３ａの上に、データ電極３２と交差する方向にプライミング電極３６が複数形成されている。さらに、図２に示すように、プライミング電極３６と交差する方向にショートバー３７を形成し、ショートバー３７は隣接するプライミング電極３６を互いに電気的に接続している。
【００２５】
誘電体層３３ａは所定の厚みを有しており、データ電極３２とプライミング電極３６との間を絶縁している。プライミング電極３６を覆うようにさらに誘電体層３３ｂ（以下、誘電体層３３ａおよび誘電体層３３ｂを誘電体層３３とも記す）が形成され、さらにその上に主放電セル（以下、放電セルと略記する）４０を区画するための隔壁３４が形成されている。隔壁３４は、図２に示すように、データ電極３２と平行な方向に延びる縦壁部３４ａと、放電セル４０を形成し、かつ放電セル４０の間に隙間部４１を形成する横壁部３４ｂとで構成されている。隙間部４１はひとつおきにプライミング電極３６を有し、プライミング電極３６を有した隙間部４１はプライミング放電セル（以下、プライミングセルと略記する）４１ａとして形成される。そして、隔壁３４により区画された放電セル４０に対応する誘電体層３３の表面と隔壁３４の側面とに蛍光体層３５が設けられている。
【００２６】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行に、かつプライミングセル４１ａを挟んで対向するように位置合わせする。すなわち、図１、図２に示したプラズマディスプレイパネルは、前面基板２１側に形成された突出部分２２ｂ’と、背面基板３１側に形成されたプライミング電極３６との間でプライミング放電を行う構成となっている。また、図１ではプライミングセル４１ａ側に蛍光体層３５を形成していないが、これは、放電を阻害する働きのある蛍光体層を設けないことでプライミング放電を発生しやすくするためである。さらに、突出部分２２ｂ’とプライミング電極３６との間隔はデータ電極３２と透明電極２２ａとの間隔よりも短いので、プライミング放電は書込み放電よりも放電開始電圧が低く、放電が発生しやすい。
【００２７】
なお、図１、図２にはプライミング電極３６を覆うようにさらに誘電体層３３ｂが形成されているが、この誘電体層３３ｂは形成しなくてもよい。また、図１では隙間部４１側に蛍光体層３５を形成していないが、隙間部４１側に蛍光体層３５を形成する構成としてもよい。
【００２８】
図３（Ａ）は図２のＡ−Ａ線に沿う断面図であり、図３（Ｂ）は図２のＢ−Ｂ線に沿う断面図である。なお、ショートバー３７は、図３に示すように、縦壁部３４ａの下を通るように配置する。
【００２９】
図４は本発明の実施の形態におけるプラズマディスプレイパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態においては奇数行目の走査電極ＳＣ１、ＳＣ３、・・・の突出部分（図１の突出部分２２ｂ’）と対向するようにｎ／２本のプライミング電極ＰＲ１、ＰＲ３、・・・（図１のプライミング電極３６）が配列されている。
【００３０】
そして、一対の走査電極ＳＣｉ、維持電極ＳＵｉ（ｉ＝１〜ｎ）とひとつのデータ電極Ｄｊ（ｊ＝１〜ｍ）とを含む放電セルＣｉ，ｊ（図１の放電セル４０）が放電空間内に形成される。このとき放電セルＣの総数はｍ×ｎ個になる。また１〜ｎ行のうちの奇数行に走査電極ＳＣｉの突出部分とプライミング電極ＰＲｉとを含むプライミングセルＰＳｉ（図１のプライミングセル４１ａ）が形成され、プライミングセルＰＳの総数はｎ／２になる。
【００３１】
このように、本発明の実施の形態におけるプラズマディスプレイパネルにおいては、奇数行目の走査電極ＳＣｐ（ｐ＝奇数）は突出部分２２ｂ’を持ち、自己の走査に伴ってプライミング放電を発生させるとともに書込みを行う。一方、偶数行目の走査電極ＳＣｐ＋１は突出部分２２ｂ’がなく、自己の走査に伴うプライミング放電を発生させずに書込みを行う。
【００３２】
次に、パネルを駆動するための駆動波形とそのタイミングについて説明する。
【００３３】
図５は、本発明の実施の形態におけるプラズマディスプレイパネルの駆動波形図である。なお、本発明の実施の形態においては、１フィールド期間が初期化期間、書込み期間、維持期間を有する複数のサブフィールドから構成されており、それぞれのサブフィールドは維持期間における維持パルスの数が異なる以外は同様の動作を行うので、ここではひとつのサブフィールドについてのみ動作を説明する。
【００３４】
初期化期間前半部では、データ電極Ｄ１〜Ｄｍ、維持電極ＳＵ１〜ＳＵｎおよびプライミング電極ＰＲ１〜ＰＲｎ−１をそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ１回目の微弱な初期化放電が起こる。そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００３５】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００３６】
書込み期間では、走査電極ＳＣ１〜ＳＣｎを一旦電圧Ｖｃに保持する。そして、プライミング電極ＰＲ１〜ＰＲｎ−１に電圧変化分（Ｖｃ−Ｖｉ４）とほぼ等しい電圧Ｖｑを印加する。
【００３７】
まず、奇数行目の放電セルＣｐ，１〜Ｃｐ，ｍの書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加により、プライミングセルＰＳｐにおいてプライミング電極ＰＲｐと走査電極ＳＣｐとの間でプライミング放電が発生し、放電セルＣｐ，１〜Ｃｐ，ｍと放電セルＣｐ＋１，１〜ＣＰ＋１，ｍとの内部にプライミングが供給される。このときの放電は、上述したようにプライミングセルが放電しやすい構造であるため、放電遅れが小さく速い安定したプライミング放電となる。
【００３８】
その後引き続いて書込みパルス電圧を印加したデータ電極Ｄｋに対応する放電セルＣｐ，ｋで書込み放電が発生する。このとき、放電セルＣｐ，ｋの放電は走査電極ＳＣｐとプライミング電極ＰＲｐとの間で発生したプライミング放電からプライミングが供給されつつ発生するので、プライミングセルからプライミングの供給が始まるまでの時間遅れはあるものの、プライミング供給後は放電遅れが小さく安定した放電となる。
【００３９】
この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００４０】
次に、偶数行目の放電セルＣｐ＋１，１〜ＣＰ＋１，ｍの書込み動作では、ｐ＋１行目の走査電極ＳＣＰ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣＰ＋１との交差部で放電が発生する。このとき、放電セルＣＰ＋１，ｋでは走査電極ＳＣｐとプライミング電極ＰＲｐとの間で発生したプライミング放電から十分なプライミングがすでに供給された状態で放電が発生するので、書込み放電の放電遅れは非常に小さく安定した放電となる。
【００４１】
この書込み放電により放電セルＣｐ＋１，ｋの走査電極ＳＣｐ上部に正電圧が蓄積され、維持電極ＳＵｐ上部に負電圧が蓄積されて、偶数行目の書込み動作が終了する。
【００４２】
以下、同様の書込み動作をｎ行目の放電セルＣｎ，ｋに至るまで行い、書込み動作が終了する。
【００４３】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ，ｊにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００４４】
このように、本発明の実施の形態では、奇数行目の放電セルＣｐ，１〜Ｃｐ，ｍの書込み動作において、背面基板３１側に設けたプライミング電極ＰＲｐと前面基板２１側に設けた走査電極ＳＣｐとの間でプライミング放電を発生させる。このとき、プライミング電極ＰＲ１〜ＰＲｎ−１には常に共通の電圧波形を印加している。このプライミング放電の発生により、放電セルＣｐ，１〜Ｃｐ，ｍと放電セルＣｐ＋１，１〜Ｃｐ＋１，ｍとの内部にプライミングを供給することができ、放電遅れが小さく、高速かつ安定した書込み放電を実現することができる。
【００４５】
次に、ショートバー３７について説明する。
【００４６】
プラズマディスプレイパネルの製造工程では、様々な要因によりプラズマディスプレイパネルの電極に断線が発生することがある。プライミング電極３６が断線すれば、断線箇所においてプライミング放電が発生せず、断線箇所周辺の放電セル４０にプライミングを供給できなくなり、書込み放電の放電遅れが大きくなって書込み動作が不安定になる。書込み動作が不安定になれば、正常な画像を表示できなくなる。通常、プラズマディスプレイパネルの製造工程では、このような不具合を有するプラズマディスプレイパネルを選別するための工程（以下、選別工程）を設け、不良品を選別している。また、電極が断線したプラズマディスプレイパネルは、廃棄するか、または断線箇所を修復する作業（以下、リペア）を行うなどの処置を施さねばならず、これらのことはいずれもプラズマディスプレイパネルの製造にかかるコストを増やす原因となっている。
【００４７】
図６は本発明の実施の形態における背面基板側の構造を模式的に示す平面図である。なお、図６ではショートバー３７の位置および形状をわかりやすく示すために隔壁３４を破線で示している。すなわち、本発明の実施の形態では、図６に示すように、プライミング電極３６と交差する方向にショートバー３７を形成し、プライミング電極３６を互いに電気的に連接する構成としている。本発明の実施の形態では全てのプライミング電極３６に対して常に共通の電圧波形を印加するように構成しているので、プライミング電極３６を互いに電気的に連接することで、断線したプライミング電極３６に対して、電気的に接続された他のプライミング電極３６からショートバー３７を介して駆動電圧を印加することができるようになる。このように、本発明のプラズマディスプレイパネルはショートバーを有しているので、たとえプライミング電極が断線しても、断線箇所においてプライミング放電を発生することができ、正常な画像を表示することが可能となる。
【００４８】
また、本発明の実施の形態では、図６に示すようにショートバー３７を縦壁部３４ａの下を通るように配置し、かつ少なくとも縦壁部３４ａの下に配置されたショートバー３７の幅を縦壁部３４ａの短手方向の幅以下に形成することで、ショートバー３７が放電セル４０の領域にかからないように構成することができる。この様子を、図７のプライミング電極３６、ショートバー３７および縦壁部３４ａの構造を模式的に示す斜視図を用いて示す。ただし、図７では放電セル４０を省略している。上述したように、前面基板２１側には、放電セル４０を挟んで透明電極２２ａ、２３ａが対をなして形成されている。したがって、ショートバー３７の幅が縦壁部３４ａの短手方向の幅よりも広く形成されたり、あるいはショートバー３７が縦壁部３４ａの下以外の場所に配置されて放電セル４０の領域にかかってしまうと、ショートバー３７と透明電極２２ａまたは透明電極２３ａとの間で不要な放電を起こす恐れがある。すなわち、本発明の実施の形態においては、このようにショートバー３７が縦壁部３４ａの下に隠れるようにショートバー３７の幅および配置を構成することによって、ショートバー３７と他の電極との間に不要な放電を生じないようにしている。
【００４９】
図８は本発明の実施の形態におけるショートバー３７の構成の一例を示す平面図である。図８に示すように、隣り合うプライミング電極３６を複数のショートバー３７で接続する構成としてもよい。このように構成することで、ひとつのプライミング電極３６に発生する断線が２箇所あるいはそれ以上の複数箇所であっても、上述した不具合の発生を抑えることが可能となるからである。本願発明者が行った実験では、４２インチサイズのプラズマディスプレイパネルにおいて約１０ｃｍに１本程度の間隔でショートバー３７を配置することで、プラズマディスプレイパネルの製造工程から選別工程を省いても歩留まりに影響を与えなくなることが確認されている。選別工程が不必要になれば、さらに製造工程におけるコストを抑えることが可能となる。図９は本発明の実施の形態におけるショートバー３７の構成の他の一例を示す平面図である。図８に示したように近接するショートバー３７がひとつの直線上に並ぶような構成であってもよいが、図９に示すように近接するふたつのショートバー３７が連続してひとつの直線上に並ばないように配置する構成であってもよい。
【００５０】
なお、隣り合うプライミング電極３６を接続するショートバー３７がひとつであり、かつプライミング電極３６の一端から駆動電圧を印加する構成であれば、他端にショートバー３７を配置する構成が望ましい。図１０は本発明の実施の形態における背面基板側の構造の一例を模式的に示す平面図である。ただし、図１０ではショートバー３７を接続している方の端部のみを図示している。このとき、端部に配置されたショートバー３７は、他の電極との不要な放電を起こす恐れが非常に低いので、図１０に示すようにショートバー３７の幅を縦壁部３４ａの短手方向の幅よりも広く形成する構成としてもよい。
【００５１】
図１１（ａ）〜（ｄ）は本発明の実施の形態におけるプライミング電極３６およびショートバー３７の構造の例を模式的に示す斜視図である。図１１（ａ）はプライミング電極３６とショートバー３７とを同じ厚みおよび同じ配置面に形成する構成を示した図である。この構成では、プラズマディスプレイパネルの製造工程において、プライミング電極３６とショートバー３７とを同一工程で製造することができる。図１１（ｂ）はショートバー３７をプライミング電極３６よりも薄く形成する構成を示した図である。この構成では、ショートバー３７を形成するための材料を少なくしてショートバー３７を形成することができる。図１１（ｃ）、（ｄ）はプライミング電極３６の上または下に、ショートバー３７を配置して形成する構成を示している。この構成では、プラズマディスプレイパネルの製造工程において、プライミング電極３６を形成する前、または形成した後に、例えばワイヤー状にしたショートバー３７を一括して形成することができる。
【００５２】
なお、本発明の実施の形態では、放電セル４０の形状が四角形になるように縦壁部３４ａをデータ電極３２と平行に形成して、その縦壁部３４ａの下にショートバー３７を配置する例を説明した。しかし、本発明の実施の形態はこの構成に限定するものではなく、例えば六角形などの四角形以外の形状に放電セル４０を形成するように縦壁部３４ａを形成する構成であっても、ショートバー３７を縦壁部３４ａの形状に合わせて縦壁部３４ａの下に配置することで上述と同様の効果を得ることができる。
【００５３】
なお、本発明の実施の形態は、上述した構成例を任意に組合せてショートバー３７を形成する構成としてもよい。
【００５４】
以上説明したように、本発明のプラズマディスプレイパネルは、背面基板側にプライミング電極を設けることで、プラズマディスプレイパネルを高精細化した場合でも放電遅れが小さく、高速かつ安定した書込み放電を実現することができる。加えて、ショートバーを設け、隣接するプライミング電極をショートバーによって互いに電気的に接続することで、プライミング電極が断線した場合でもプライミング電極の断線に関する不具合の発生を抑えることができ、製造工程において、例えばリペアなどに費やしていたコストを抑えることが可能となる。
【産業上の利用可能性】
【００５５】
本発明にかかるプラズマディスプレイパネルは、高精細化した場合でも書込み放電を高速で、安定して行い、かつプライミング電極が断線したときにプライミング電極の断線による不具合の発生を抑えることができ、産業上有用である。
【図面の簡単な説明】
【００５６】
【図１】本発明の実施の形態におけるプラズマディスプレイパネルを示す断面図
【図２】本発明の実施の形態におけるプラズマディスプレイパネルの背面基板側の構造を模式的に示す斜視図
【図３】（Ａ）は図２のＡ−Ａ線に沿う断面図（Ｂ）は図２のＢ−Ｂ線に沿う断面図
【図４】本発明の実施の形態におけるプラズマディスプレイパネルの電極配列図
【図５】本発明の実施の形態におけるプラズマディスプレイパネルの駆動波形図
【図６】本発明の実施の形態における背面基板側の構造を模式的に示す平面図
【図７】本発明の実施の形態におけるプライミング電極、ショートバーおよび縦壁部の構造を模式的に示す斜視図
【図８】本発明の実施の形態におけるショートバーの構成の一例を示す平面図
【図９】本発明の実施の形態におけるショートバーの構成の他の一例を示す平面図
【図１０】本発明の実施の形態における背面基板側の構造の一例を模式的に示す平面図
【図１１】（ａ）〜（ｄ）は本発明の実施の形態におけるプライミング電極およびショートバーの構造の例を模式的に示す斜視図
【符号の説明】
【００５７】
２１    （ガラス製の）前面基板
２２    走査電極
２２ａ，２３ａ    透明電極
２２ｂ，２３ｂ    金属母線
２２ｂ’    突出部分
２３    維持電極
２４，３３，３３ａ，３３ｂ    誘電体層
２５    保護層
２８    光吸収層
３１    （ガラス製の）背面基板
３２    データ電極
３４    隔壁
３４ａ    縦壁部
３４ｂ    横壁部
３５    蛍光体層
３６    プライミング電極
３７    ショートバー
４０    放電セル
４１    隙間部
４１ａ    プライミングセル
【図１】
2005122968.tif 000003
【図２】
2005122968.tif 000004
【図３】
2005122968.tif 000005
【図４】
2005122968.tif 000006
【図５】
2005122968.tif 000007
【図６】
2005122968.tif 000008
【図７】
2005122968.tif 000009
【図８】
2005122968.tif 000010
【図９】
2005122968.tif 000011
【図１０】
2005122968.tif 000012
【図１１】
2005122968.tif 000013